(57)【要約】【課題】デジタルカメラの薄型化を維持し、コストアップを極力抑えつつ、広角撮影と望遠撮影とを可能とする撮像装置を提供する。【解決手段】入射光を略直交方向に変化させて、撮像面と略平行な方向にインナーレンズからなる光路を形成した狭角望遠用光学系と、狭角望遠用光学系の光路と略直交する方向にインナーレンズからなる光路を形成した広角用光学系と、狭角望遠用光学系あるいは広角用光学系のいずれかからの出射光を受光し、被写体像を結像する撮像素子と、撮像素子への入射光を選択的に切り替える入射光選択部材と、を有する。【選択図】図２
2008076511.tif 000002
【特許請求の範囲】
【請求項１】
入射光を略直交方向に変化させて、撮像面と略平行な方向にインナーレンズからなる光路を形成した狭角望遠用光学系と、
前記狭角望遠用光学系の光路と略直交する方向にインナーレンズからなる光路を形成した広角用光学系と、
前記狭角望遠用光学系あるいは前記広角用光学系のいずれかからの出射光を受光し、被写体像を結像する撮像素子と、
該撮像素子への入射光を選択的に切り替える入射光選択部材と、
を備えたことを特徴とする撮像装置。
【請求項２】
前記狭角望遠用光学系の光路と前記広角用光学系の光路とが交差し、該交差点近傍に前記入射光選択部材が配置されていることを特徴とする請求項１に記載の撮像装置。
【請求項３】
前記撮像素子が、前記狭角望遠用光学系あるいは広角用光学系のいずれか一方の光路上で、かつ、他方の光路と略直交方向に配置されていることを特徴とする請求項１に記載の撮像装置。
【請求項４】
前記広角用光学系あるいは前記狭角望遠用光学系による撮像モードを選択する選択手段と、前記入射光選択部材の作動を回転制御する制御手段とを備え、
前記選択手段により前記狭角望遠用光学系による撮像モードが選択された場合に、前記制御手段が前記狭角望遠用光学系からの出射光を前記撮像素子に入射させ、前記広角用光学系からの出射光を前記撮像素子に対して遮断するよう前記入射光選択部材の作動を回転制御するとともに、
前記選択手段により前記広角用光学系による撮像モードが選択された場合に、前記制御手段が前記広角用光学系からの出射光を前記撮像素子に入射させ、前記狭角望遠用光学系からの出射光を前記撮像素子に対して遮断するよう前記入射光選択部材の作動を回転制御することを特徴とする請求項１から３のいずれかに記載の撮像装置。
【請求項５】
前記入射光選択部材が可動反射ミラーであることを特徴とする請求項１から４のいずれかに記載の撮像装置。
【請求項６】
前記可動反射ミラーの反射面の裏面に遮光処理がなされていることを特徴とする請求項５に記載の撮像装置。
【発明の詳細な説明】
【技術分野】
【０００１】
本発明は、撮像装置に関し、特に、広角画像撮影用の光学系と狭角画像撮影用の光学系とを備えた撮像装置に関する。
【背景技術】
【０００２】
近年、パーソナルコンピュータの目覚しい普及やその使い勝手の良さから、従来の銀塩フィルムを用いたカメラに替わって、ＣＣＤ（Ｃｈａｒｇｅ  Ｃｏｕｐｌｅｄ  Ｄｅｖｉｃｅ）等の撮像素子を用いたデジタルカメラが急速に普及している。
【０００３】
こうした急速なデジタルカメラの普及に伴って、その機能も多様化し、昨今では、例えば、狭い室内でも広範囲の撮影を可能とする広角撮影機能に注目が寄せられており、各社から広角撮影をアピールするデジタルカメラがいくつか提案されている。
【０００４】
ここで、上記の広角撮影機能を搭載する一般的なデジタルカメラでは、高精度のレンズを搭載し、レンズ鏡筒部を沈胴させることによって、焦点距離を可変して、広角撮影とズームに対応する構成を採用するものがある（例えば、特許文献１参照）。
【０００５】
また、上記の方式とは異なり、広角撮影用の光学系と望遠撮影用の光学系とを別々に備えるものや、その目的は違うものの、携帯端末における虹彩認証用として、広角画像と狭角画像とを切り替えて撮影できる撮像部を備えた携帯端末も提案されている（例えば、特許文献２参照。）。
【特許文献１】特開２００６−２１７１８６号公報
【特許文献２】特開２００３−２５６８１９号公報
【発明の開示】
【発明が解決しようとする課題】
【０００６】
しかしながら、レンズ鏡筒部を沈胴させる方式のデジタルカメラでは、撮影品質がレンズの特性に左右され、また、レンズ鏡筒部を沈胴させるために、デジタルカメラ自体を薄型化することができないという問題がある。一方、広角撮影用の光学系と望遠撮影用の光学系とを別々に設ける方式では、それぞれの光学系に対して、別々に撮像素子を備えると、撮像素子自体が高価であるために、デジタルカメラ自体の大幅なコストアップにつながってしまうという問題がある。
【０００７】
そこで、本発明は、上記の課題に鑑みてなされたものであり、デジタルカメラの薄型化を維持し、コストアップを極力抑えつつ、広角撮影と望遠撮影とを可能とする撮像装置を提供することを目的とする。
【課題を解決するための手段】
【０００８】
本発明は、上記の課題を解決するために以下の事項を提案している。
（１）本発明は、入射光を略直交方向に変化させて、撮像面と略平行な方向にインナーレンズからなる光路を形成した狭角望遠用光学系と、前記狭角望遠用光学系の光路と略直交する方向にインナーレンズからなる光路を形成した広角用光学系と、前記狭角望遠用光学系あるいは前記広角用光学系のいずれかからの出射光を受光し、被写体像を結像する撮像素子と、該撮像素子への入射光を選択的に切り替える入射光選択部材と、を備えたことを特徴とする撮像装置を提案している。  
【発明の効果】
【０００９】
本発明によれば、デジタルカメラの薄型化を維持し、コストアップを極力抑えつつ、広角撮影と狭角望遠撮影とを可能とすることができるという効果がある。
【発明を実施するための最良の形態】
【００１０】
以下、本発明の実施形態について、図１から図８を用いて詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００１１】
＜第１の実施形態＞
図１から図５を用いて、第１の実施形態に係る撮像装置について説明する。
【００１２】
＜撮像装置の外観構成＞
本実施形態に係る撮像装置（デジタルカメラ１００）の外観構成は、図１に示すようになっており、図１（ａ）はその正面図、図１（ｂ）はその背面図を示している。撮像装置（デジタルカメラ１００）は、図１に示すように、その正面側にストロボ発光部１と撮像レンズ（レンズ群）２を備えており、撮像レンズ（レンズ群）２は、広角撮影用の第１のレンズ２０と狭角望遠撮影用の第２のレンズ３０とから構成されている。なお、図１（ａ）では、広角撮影用の第１のレンズ２０と狭角望遠撮影用の第２のレンズ３０とが横並びに配置された形態を示しているが、狭角望遠用光学系の光路長を長くとれるような構成であれば、図１（ａ）に示した配置例に限らず、例えば、広角撮影用の第１のレンズ２０と狭角望遠撮影用の第２のレンズ３０とを上下に配置する形態等でもよい。
【００１３】
また、撮像装置（デジタルカメラ１００）の背面には、図１（ｂ）に示すように、モードダイヤル３と、液晶モニタ画面４と、カーソルキー５と、ＳＥＴキー６と、望遠撮影時に用いられるズームキー（Ｗｉｄｅボタン７−１、Ｔｅｌｅボタン７−２）７と、撮像モードを選択する選択手段としての撮影モード選択キー１０等が設けられている。
【００１４】
さらに、撮像装置（デジタルカメラ１００）の上面には、図１（ａ）、（ｂ）に示すように、シャッターキー８と、電源ボタン９等が設けられ、図示しない撮像装置（デジタルカメラ１００）の側面には、パーソナルコンピュータやモデム等の外部装置をＵＳＢケーブルで接続する場合に用いられるＵＳＢ（Ｕｎｉｖｅｒｓａｌ  Ｓｅｒｉａｌ  Ｂｕｓ）端子の接続部や、メモリカード等を挿入するスロット等が設けられている。
【００１５】
＜光学系の構成＞
次に、図２から図４を用いて、本実施形態に係る撮像装置の光学系の構成について説明する。
本実施形態に係る撮像装置の光学系は、図２に示すように、広角撮影用の光学系（例えば、ズーム固定で焦点距離２３ｍｍの光学系）と狭角望遠撮影用の光学系（例えば、焦点距離３９ｍｍ〜１１４ｍｍの光学系）とが別々に設けられた構成となっており、狭角望遠撮影用の光学系は、第２のレンズ３０と、反射部材としての反射ミラー３１と、光学ズームレンズ３２と、第１のフォーカスレンズ３３とから構成され、広角撮影用の光学系は、第１のレンズ２０と、第２のフォーカスレンズ２１とから構成されている。
【００１６】
さらに、これらの光路の交差部には、図中、ａ点を支点として可動する入射光選択部材としての光可動反射ミラー４０が配置されている。なお、本実施形態においては、反射ミラー３１により狭角望遠用光学系からの入射光を撮像装置の撮像面に平行な方向に反射させ、撮像面に平行な方向に上記のインナーレンズである光学ズームレンズ３２と、第１のフォーカスレンズ３３とを配置することにより、長い光路長を確保している。
【００１７】
また、反射ミラー３１で反射された狭角望遠撮影用の光学系の光路上でかつ、広角撮影用の光学系の光路と直交する方向には、撮像素子としてのＣＣＤ（Ｃｈａｒｇｅ  Ｃｏｕｐｌｅｄ  Ｄｅｖｉｃｅ）５０が備えられている。さらに、光可動反射ミラー４０を回転駆動する制御手段としての図示しない回転モータを備えている。
【００１８】
狭角望遠撮影用の光学系は、光学ズーム機能とオートフォーカス（ＡＦ）機能とを備えたものであって、光学ズームレンズ３２と第１のフォーカスレンズ３３とが撮像面と平行な光軸方向に移動可能に配置され、図示しないズーム位置用及びフォーカス位置用の位置検出センサと、光学ズームレンズ３２を移動するズームモータ、第１のフォーカスレンズ３３を移動するフォーカスモータ等が設けられている。これにより、例えば、焦点距離３９ｍｍ〜１１４ｍｍの光学系をレンズ鏡筒部の沈胴動作を行うことなく実現している。
【００１９】
一方、広角撮影用の光学系は、ズーム固定の光学系であって、第２のフォーカスレンズ２１が撮像面と直交する光軸方向に移動可能に配置され、図示しないフォーカス位置用の位置検出センサと、第２のフォーカスレンズ２１を移動するフォーカスモータ等が設けられている。これにより、例えば、焦点距離２３ｍｍの広角撮影用光学系を構成している。
【００２０】
そして、撮影モード選択キー１０により、狭角望遠撮影用の光学系による撮像モードが選択されたときには、光可動反射ミラー４０が、図３に示すように、ａ点を支点として、広角撮影用の光学系からの光を遮断するように可動して、狭角望遠撮影用の光学系からの光を撮像素子としてのＣＣＤ５０に導く。
【００２１】
一方で、撮影モード選択キー１０により、広角撮影用の光学系による撮像モードが選択されたときには、光可動反射ミラー４０が、図４に示すように、ａ点を支点として、狭角望遠撮影用の光学系からの光を遮断するように回転駆動され、広角撮影用の光学系からの光を撮像素子としてのＣＣＤ５０に導く。
【００２２】
これにより、撮影モード選択キー１０による撮像モードの選択によって、適宜、光可動反射ミラー４０を回転駆動することにより、一つのＣＣＤ５０により、広角撮影用の光学系による撮像モードと狭角望遠撮影用の光学系による撮像モードの双方に対応することができる。
【００２３】
なお、本実施形態においては、上記の機能を実現するために、光可動反射ミラー４０の広角撮影用の光学系側の面には、鏡面処理がなされ、狭角望遠撮影用の光学系側の面には、鏡面処理あるいは、遮光処理がなされていることが望ましい。また、本実施形態においては、反射部材として反射ミラー３１を例示したが、これをプリズム等で構成してもよい。
【００２４】
＜撮像装置の電気的構成＞
本実施形態に係る撮像装置（デジタルカメラ１００）は、図５に示すように、撮像レンズ６２と、レンズ駆動ブロック６３と、絞り兼用シャッター６４と、ＣＣＤ５０と、ＴＧ（Ｔｉｍｉｎｇ  Ｇｅｎｅｒａｔｏｒ）６６と、ユニット回路６７と、ＤＲＡＭ（Ｄｙｎａｍｉｃ  Ｒａｎｄｏｍ  Ａｃｃｅｓｓ  Ｍｅｍｏｒｙ）６８と、メモリ６９と、ＣＰＵ（Ｃｅｎｔｒａｌ  Ｐｒｏｃｅｓｓｉｎｇ  Ｕｎｉｔ）７０と、画像表示部７１と、キー入力部７２と、外部通信Ｉ／Ｆ（Ｉｎｔｅｒｆａｃｅ）７３と、ストロボ駆動部７４と、ストロボ発光部７５と、カードＩ／Ｆ（Ｉｎｔｅｒｆａｃｅ）７６、可動反射ミラー駆動部７７と、を備えており、カードＩ／Ｆ７６には、図示しないデジタルカメラ１００本体のカードスロットにメモリカードが着脱可能に接続される。
【００２５】
撮像レンズ６２は、フォーカスレンズ、ズームレンズを含み、レンズ駆動ブロック６３が接続されている。このレンズ駆動ブロック６３は、図示しないフォーカスレンズ、ズームレンズをそれぞれ撮像面と平行な光軸方向に駆動させるフォーカスモータ及びズームモータと、ＣＰＵ７０からの制御信号にしたがってフォーカスモータ及びズームモータをそれぞれ駆動させるフォーカスドライバ及びズームモータドライバから構成されている。
【００２６】
なお、本実施形態においては、広角撮影用の光学系と狭角望遠撮影用の光学系とが別々に設けられた構成となっていることから、その撮像モードに応じて、フォーカスドライバ及びズームモータドライバが、対応するフォーカスモータ及びズームモータをそれぞれ駆動する。また、本実施形態においては、広角撮影用の光学系はズーム固定となっているため、広角撮影用の光学系には、ズームモータが設けられていない。
【００２７】
絞り兼用シャッター６４は、図示しない駆動回路を含み、この駆動回路はＣＰＵ７０から送られてくる制御信号にしたがって絞り兼用シャッターを動作させる。なお、この絞り兼用シャッター６４は、絞りとシャッターとして機能する。
【００２８】
ここで、絞りとは、撮像レンズ６２から入ってくる光の量を制御する機構をいい、シャッターとは、ＣＣＤ５０に光を当てる時間を制御する機構をいう。また、ＣＣＤ５０に光を当てる時間（露出時間）は、シャッターの開閉速度（シャッター速度）によって変化するため、露出量は、この絞りとシャッター速度とによって定めることができる。
【００２９】
ＣＣＤ５０は、撮像レンズ６２及び絞り兼用シャッター６４を介して投影された被写体の光を電気信号に変換し、撮像信号としてユニット回路６７に出力する。また、ＣＣＤ５０は、ＴＧ６６によって生成された所定周波数のタイミング信号にしたがって駆動する。なお、ＴＧ６６にはユニット回路６７が接続されている。
【００３０】
ユニット回路６７は、ＣＣＤ５０から出力される撮像信号を相関二重サンプリングして保持するＣＤＳ（Ｃｏｒｒｅｌａｔｅｄ  Ｄｏｕｂｌｅ  Ｓａｍｐｌｉｎｇ）回路、そのサンプリング後の撮像信号の自動利得調整を行うＡＧＣ（Ａｕｔｏｍａｔｉｃ  Ｇａｉｎ  Ｃｏｎｔｒｏｌ）回路、その自動利得調整後のアナログの撮像信号をデジタル信号に変換するＡ／Ｄ変換器から構成されており、ＣＣＤ５０の撮像信号は、ユニット回路６７を経てデジタル信号としてＣＰＵ７０に送られる。
【００３１】
ＣＰＵ７０は、ユニット回路６７から送られてきた画像データの画像処理（画素補間処理、γ補正、輝度色差信号の生成、ホワイトバランス処理、露出補正処理等）、ブレ補正処理、画像データの圧縮・伸張（例えば、ＪＰＥＧ形式の圧縮・伸張）の処理等を行う機能を有するとともに、デジタルカメラ１００の各部を制御プログラムにしたがって制御するワンチップマイコンであって、時刻を計時するクロック回路を含む。
【００３２】
ＤＲＡＭ６８は、ＣＣＤ５０によって撮像された後、ＣＰＵ７０に送られてきた画像データを一時記憶するバッファメモリとして使用されるとともに、ＣＰＵ７０のワーキングメモリとしても使用される。
【００３３】
画像表示部７１は、カラーＬＣＤ（Ｌｉｑｕｉｄ  Ｃｒｙｓｔａｌ  Ｄｉｓｐｌａｙ）とその駆動回路とを含み、撮影待機状態にあるときには、ＣＣＤ５０によって撮像された被写体をスルー画像として表示し、記録画像の再生時には、メモリカードから読み出され、伸張された記録画像を表示させる。
【００３４】
キー入力部７２は、シャッターボタンやモードキー、ＳＥＴキー、十字キー、撮影モード選択キー等の複数の操作キーを含み、ユーザのキー操作に応じた操作信号をＣＰＵ７０に出力する。
【００３５】
外部通信Ｉ／Ｆ７３は、外部の電子機器（例えば、パーソナルコンピュータ）との間でデータの入出力を行うものであり、ＵＳＢ規格、ＩＥＥＥ１３９４規格などの各種インターフェース規格による入出力を可能としており、これらの規格によるデータ入出力が可能なパソコンなどの電子機器と接続可能となっている。また、ＩｒＤＡ規格による赤外線通信、Ｂｌｕｅｔｏｏｔｈ規格による無線通信により外部の電子機器と画像データの入出力を可能としているものでもよい。
【００３６】
ストロボ駆動部７４は、ＣＰＵ７０の制御信号にしたがって、ストロボ発光部７５を閃光駆動させ、ストロボ発光部７５は、これによりストロボを閃光させる。ＣＰＵ７０は、図示しない測光回路により、撮影シーンが暗いか否かを判断し、撮影シーンが暗いと判断し、かつ、撮影を行う場合（シャッターボタンの押下時）には、ストロボ駆動部７４に制御信号を出力する。
【００３７】
メモリ６９は、ＣＰＵ７０によるデジタルカメラ１００の各部の制御に必要なプログラム及び各部の制御に必要なデータを記録格納しており、ＣＰＵ７０は、このプログラムにしたがって処理を実行する。
【００３８】
＜狭角望遠撮影モード時における処理動作＞
次に、本実施形態に係る撮像装置（デジタルカメラ１００）において、狭角望遠撮影モード時における処理動作について説明する。
ＣＰＵ７０は、キー入力部７２からユーザによって、狭角望遠撮影モードを選択するように撮影モード選択キー１０が操作されたことを示す信号を入力すると、可動反射ミラー駆動部７７に制御信号を出力して、光可動反射ミラー４０を回転駆動させる。
【００３９】
これによって、光可動反射ミラー４０は、図３に示すように、広角撮影用光学系からの光を遮断して、第２のレンズ３０から入射した狭角望遠撮影用光学系からの光を反射ミラー３１、光学ズームレンズ３２、第１のフォーカスレンズ３３を介して、ＣＣＤ５０に導くよう光可動反射ミラー４０の位置を固定する。そして、狭角望遠撮影用光学系からの被写体の像をＣＣＤ５０上に結像する。このような制御を行うことにより、望遠撮影を可能とする。
【００４０】
＜広角撮影モード時における処理動作＞
次に、本実施形態に係る撮像装置（デジタルカメラ１００）において、広角撮影モード時における処理動作について説明する。
ＣＰＵ７０は、キー入力部７２からユーザによって、広角撮影モードを選択するように撮影モード選択キー１０が操作されたことを示す信号を入力すると、可動反射ミラー駆動部７７に制御信号を出力して、光可動反射ミラー４０を回転駆動させる。
【００４１】
これによって、光可動反射ミラー４０は、図４に示すように、狭角望遠撮影用光学系からの光を遮断して、第１のレンズ２０から入射した広角撮影用光学系からの光を第２のフォーカスレンズ２１、光可動反射ミラー４０を介して、ＣＣＤ５０に導くよう光可動反射ミラー４０の位置を固定する。そして、広角撮影用光学系からの被写体の像をＣＣＤ５０上に結像する。このような制御を行うことにより、例えば、狭い室内でも広範囲の撮影を可能とする。
【００４２】
したがって、本実施形態によれば、狭角望遠撮影用光学系あるいは広角撮影用光学系から入射する光を光可動反射ミラーの動作を制御することにより、選択的に切り替えることによって、一つの撮像素子で広角撮影と望遠撮影とを実現できる。また、狭角望遠撮影用光学系と広角撮影用光学系とをそれぞれ設けて、広角撮影および望遠撮影において、必要とされる焦点距離を確保できるように、光学系を構成したことから、デジタルカメラの薄型化を維持しつつ、広角撮影と望遠撮影の双方を実現することができる。
【００４３】
＜第２の実施形態＞
図６から図８を用いて、第２の実施形態に係る撮像装置について説明する。
【００４４】
＜光学系の構成＞
本実施形態に係る撮像装置の光学系は、図６に示すように、第１の実施形態と同様に、広角撮影用の光学系と狭角望遠撮影用の光学系とが別々に設けられた構成となっている。狭角望遠撮影用の光学系は、第２のレンズ３０と、反射部材としての反射ミラー３１と、光学ズームレンズ３２と、第１のフォーカスレンズ３３とから構成され、広角撮影用の光学系は、第１のレンズ２０と、第２のフォーカスレンズ２１とから構成されている。
【００４５】
さらに、これらの光路の交差部には、図中、ａ点を支点として可動する入射光選択部材としての光可動反射ミラー４１が配置されている。なお、本実施形態においては、反射ミラー３１により狭角望遠用光学系からの入射光を撮像装置の撮像面に平行な方向に反射させ、撮像面に平行な方向に上記のインナーレンズである光学ズームレンズ３２と、第１のフォーカスレンズ３３とを配置することにより、長い光路長を確保している。
【００４６】
また、広角撮影用の光学系の光路上でかつ、狭角望遠撮影用の光学系の光路と直交する方向には、撮像素子としてのＣＣＤ５０が備えられている。さらに、光可動反射ミラー４１を回転駆動する制御手段としての図示しない回転モータを備えている。
【００４７】
狭角望遠撮影用の光学系は、光学ズーム機能とオートフォーカス（ＡＦ）機能とを備えたものであって、インナーレンズである光学ズームレンズ３２と第１のフォーカスレンズ３３とが撮像面と平行な光軸方向に移動可能に配置され、図示しないズーム位置用及びフォーカス位置用の位置検出センサと、光学ズームレンズ３２を移動するズームモータ、第１のフォーカスレンズ３３を移動するフォーカスモータ等が設けられている。これにより、例えば、焦点距離３９ｍｍ〜１１４ｍｍの光学系をレンズ鏡筒部の沈胴動作を行うことなく実現している。
【００４８】
一方、広角撮影用の光学系は、第２のフォーカスレンズ２１が撮像面と直交する光軸方向に移動可能に配置され、図示しないフォーカス位置用の位置検出センサと、第２のフォーカスレンズ２１を移動するフォーカスモータ等が設けられている。これにより、例えば、焦点距離２３ｍｍの広角撮影用光学系を構成している。
【００４９】
そして、撮影モード選択キー１０により、狭角望遠撮影用の光学系による撮像モードが選択されたときには、光可動反射ミラー４１が、図７に示すように、ａ点を支点として、広角撮影用の光学系からの光を遮断するように、回転駆動して、狭角望遠撮影用の光学系からの光を光可動反射ミラー４１で反射して撮像素子としてのＣＣＤ５０に導く。
【００５０】
一方で、撮影モード選択キー１０により、広角撮影用の光学系による撮像モードが選択されたときには、光可動反射ミラー４１が、図８に示すように、ａ点を支点として、狭角望遠撮影用の光学系からの光を遮断するように、回転駆動して、広角撮影用の光学系からの光を撮像素子としてのＣＣＤ５０に導く。
【００５１】
これにより、撮影モード選択キー１０による撮像モードの選択によって、適宜、光可動反射ミラー４１を回転駆動することにより、一つのＣＣＤ５０により、広角撮影用の光学系による撮像モードと狭角望遠撮影用の光学系による撮像モードの双方に対応することができる。
【００５２】
なお、本実施形態においては、上記の機能を実現するために、光可動反射ミラー４１の狭角望遠撮影用の光学系側の面には、鏡面処理がなされ、広角撮影用の光学系側の面には、鏡面処理あるいは、遮光処理がなされていることが望ましい。また、本実施形態においては、反射部材として反射ミラー３１を例示したが、これをプリズム等で構成してもよい。
【００５３】
＜狭角望遠撮影モード時における処理動作＞
次に、本実施形態に係る撮像装置（デジタルカメラ１００）において、狭角望遠撮影モード時における処理動作について説明する。
ＣＰＵ７０は、キー入力部７２からユーザによって、狭角望遠撮影モードを選択するように撮影モード選択キー１０が操作されたことを示す信号を入力すると、可動反射ミラー駆動部７７に制御信号を出力して、光可動反射ミラー４１を回転駆動させる。
【００５４】
これによって、光可動反射ミラー４１は、図７に示すように、広角撮影用光学系からの光を遮断して、第２のレンズ３０から入射した狭角望遠撮影用光学系からの光を反射ミラー３１、光学ズームレンズ３２、第１のフォーカスレンズ３３、光可動反射ミラー４０を介して、ＣＣＤ５０に導くよう光可動反射ミラー４１の位置を固定する。そして、狭角望遠撮影用光学系からの被写体の像をＣＣＤ５０上に結像する。このような制御を行うことにより、望遠撮影を可能とする。
【００５５】
＜広角撮影モード時における処理動作＞
次に、本実施形態に係る撮像装置（デジタルカメラ１００）において、広角撮影モード時における処理動作について説明する。
ＣＰＵ７０は、キー入力部７２からユーザによって、広角撮影モードを選択するように撮影モード選択キー１０が操作されたことを示す信号を入力すると、可動反射ミラー駆動部７７に制御信号を出力して、光可動反射ミラー４１を回転駆動させる。
【００５６】
これによって、光可動反射ミラー４１は、図８に示すように、狭角望遠撮影用光学系からの光を遮断して、第１のレンズ２０から入射した広角撮影用光学系からの光を第２のフォーカスレンズ２１を介して、ＣＣＤ５０に導くよう光可動反射ミラー４１の位置を固定する。そして、広角撮影用光学系からの被写体の像をＣＣＤ５０上に結像する。このような制御を行うことにより、例えば、狭い室内でも広範囲の撮影を可能とする。
【００５７】
したがって、本実施形態によれば、第１の実施形態と同様に、狭角望遠撮影用光学系あるいは広角撮影用光学系から入射する光を光可動反射ミラーの動作を制御することにより、選択的に切り替えることによって、一つの撮像素子で広角撮影と望遠撮影を実現できる。また、狭角望遠撮影用光学系と広角撮影用光学系とをそれぞれ設けて、広角撮影および望遠撮影において、必要とされる焦点距離を確保できるように、光学系を構成したことから、デジタルカメラの薄型化を維持しつつ、広角撮影と望遠撮影の双方を実現することができる。
【００５８】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００５９】
【図１】本発明に係る撮像装置の外観構成図である。
【図２】第１の実施形態に係る撮像装置の光学系の構成を示す図である。
【図３】第１の実施形態に係る撮像装置において、広角撮影用モードが選択された場合の光学系の構成を示す図である。
【図４】第１の実施形態に係る撮像装置において、狭角望遠撮影用モードが選択された場合の光学系の構成を示す図である。
【図５】本発明に係る撮像装置の電気的構成図である。
【図６】第２の実施形態に係る撮像装置の光学系の構成を示す図である。
【図７】第２の実施形態に係る撮像装置において、広角撮影用モードが選択された場合の光学系の構成を示す図である。
【図８】第２の実施形態に係る撮像装置において、狭角望遠撮影用モードが選択された場合の光学系の構成を示す図である。
【符号の説明】
【００６０】
１・・・ストロボ発光部、２・・・撮像レンズ（レンズ群）、３・・・モードダイヤル、４・・・液晶モニタ画面、５・・・カーソルキー、６・・・ＳＥＴキー、７・・・ズームキー、８・・・シャッターキー、９・・・電源ボタン、１０・・・撮影モード選択キー、２０・・・第１のレンズ、２１・・・第２のフォーカスレンズ、３０・・・第２のレンズ、３１・・・反射ミラー、３２・・・光学ズームレンズ、３３・・・第１のフォーカスレンズ、４０・・・光可動反射ミラー、５０・・・ＣＣＤ、６２・・・撮像レンズ、６３・・・レンズ駆動ブロック、６４・・・絞り兼用シャッター、６６・・・ＴＧ、６７・・・ユニット回路、６８・・・ＤＲＡＭ、６９・・・メモリ、７０・・・ＣＰＵ、７１・・・画像表示部、７２・・・キー入力部、７３・・・外部通信Ｉ／Ｆ、７４・・・ストロボ駆動部、７５・・・ストロボ発光部、７６・・・カードＩ／Ｆ、７７・・・可動反射ミラー駆動部、１００・・・デジタルカメラ
【図１】
2008076511.tif 000003
【図２】
2008076511.tif 000004
【図３】
2008076511.tif 000005
【図４】
2008076511.tif 000006
【図５】
2008076511.tif 000007
【図６】
2008076511.tif 000008
【図７】
2008076511.tif 000009
【図８】
2008076511.tif 000010